(57)【要約】【課題】遊技者による確変図柄の設定を可能にする。【解決手段】ハンドル本体４２には、たとえば、操作片４３の背後側であって、遊技者が右手の親指で操作できるような位置に、発射停止ボタン４４、スライドボタン４５および決定ボタン４６の３つの操作ボタンが配設されている。遊技者は、たとえば、可変表示器が待機状態であり、かつ、確変モードの実行中でない時に、スライドボタン４５および決定ボタン４６を操作して、大当たり遊技の終了後に実行される確変モードのＳＴ回数を変更することができる。【選択図】　　　　図２
2004008259.tif 000002
【特許請求の範囲】
【請求項１】
大当たり抽選で大当たりが出たことを条件として、所定の大当たり遊技動作を実行し、この大当たり遊技動作の後、所定回数の大当たり抽選が実行されるまでの期間、その期間経過後に実行される通常モードよりも遊技者に有利な遊技内容の特別モードを実行する遊技機であって、
大当たり抽選で大当たりが出た場合に、予め定める複数の大当たり図柄のうちのいずれか１つを表示し、大当たり抽選ではずれが出た場合には、上記複数の大当たり図柄以外のはずれ図柄を表示する図柄表示手段と、
上記特別モードの実行期間を規定する実行期間規定回数を大当たり図柄別に記憶した実行期間規定回数記憶手段と、
上記図柄表示手段に表示された大当たり図柄に対応する実行期間規定回数を上記実行期間規定回数記憶手段から読み出し、その読み出した実行期間規定回数を上記所定回数に決定する回数決定手段と、
遊技者によって操作可能な位置に設けられて、上記実行期間規定回数記憶手段に記憶されている実行期間規定回数を変更するために操作される操作手段と、
この操作手段の操作に基づいて、上記実行期間規定回数記憶手段の記憶内容を書き換える記憶内容書換手段と
を含むことを特徴とする遊技機。
【請求項２】
大当たり抽選で大当たりが出たことを条件として、所定の大当たり遊技動作を実行し、この大当たり遊技動作の後、所定回数の大当たり抽選が実行されるまでの期間、その期間経過後に実行される通常モードよりも遊技者に有利な遊技内容の特別モードを実行する遊技機であって、
大当たり抽選で大当たりが出た場合に、予め定める複数の大当たり図柄のうちのいずれか１つを表示し、大当たり抽選ではずれが出た場合には、上記複数の大当たり図柄以外のはずれ図柄を表示する図柄表示手段と、
互いに異なるパターンで、上記特別モードの実行期間を規定する実行期間規定回数を各大当たり図柄に対応づけて定めた複数のテーブルと、
遊技者によって操作可能な位置に設けられて、上記複数のテーブルのいずれか１つを指定するための操作される操作手段と、
上記図柄表示手段に表示された大当たり図柄に対応する実行期間規定回数を上記操作手段によって指定されたテーブルから読み出し、その読み出した実行期間規定回数を上記所定回数に決定する回数決定手段と
を含むことを特徴とする遊技機。
【請求項３】
上記特別モードが実行されていないことを条件に、上記操作手段の操作を有効とする操作有効／無効手段をさらに含むことを特徴とする請求項１または２記載の遊技機。
【請求項４】
上記特別モードは、上記通常モード時よりも大当たり抽選で大当たりがでる確率の高い確変モードであることを特徴とする請求項１ないし３のいずれかに記載の遊技機。
【請求項５】
上記図柄表示手段は、所定時間の図柄変動動作の後に、大当たり抽選の結果に応じた大当たり図柄またははずれ図柄を表示するものであり、
上記特別モードは、上記通常モード時よりも上記図柄変動動作の時間が短い時短モードであることを特徴とする請求項１ないし３のいずれかに記載の遊技機。
【発明の詳細な説明】
【０００１】
【発明の属する技術分野】
この発明は、いわゆる確変モードや時短モードなどの特別モードを有する遊技機に関する。
【０００２】
【従来の技術】
従来から、始動口への遊技球の入球に対して大当たり抽選を行い、大当たり抽選の結果が大当たりであれば、予め定められた複数の大当たり図柄のいずれかを表示器に表示して、遊技者にとって有利な（遊技者が多数個の賞球を獲得可能な）大当たり遊技動作を実行するパチンコ機が提供されている。
この種のパチンコ機の中には、大当たり抽選で大当たりが出る確率（大当たり確率）が２段階に変化する確率変動型のものがある。たとえば、大当たり遊技が終了してから一定のＳＴ回数の大当たり抽選が行われるまでの期間、大当たり確率が高確率な確変モードが実行される。すなわち、確率変動型の機種では、大当たり遊技が終了すると、その後は確変モードに突入し、この確変モードにおいて上記ＳＴ回数の大当たり抽選が行われると、確変モードは終了し、その後は大当たり確率が低確率な通常モードに移行する。
【０００３】
【発明が解決しようとする課題】
現在提供されているパチンコ機において、遊技者が上記ＳＴ回数を変更し、これにより確変モードの実行期間を変更するといったことはできない。
しかし、たとえば、或る大当たり図柄での大当たり（或る大当たり図柄による大当たりの報知）が多く発生する場合に、その大当たり図柄での大当たり後に実行される確変モードでのＳＴ回数を多くし、その分、他の大当たり図柄での大当たり後に実行される確変モードでのＳＴ回数を少なくするといったことができれば、遊技者にとって、とても興趣の大きなパチンコ機となる。
【０００４】
そこで、この発明の目的は、確変モードや時短モードなどの特別モードの実行期間を変更可能な遊技機を提供することである。
【０００５】
【課題を解決するための手段および発明の効果】
上記の目的を達成するための請求項１記載の発明は、大当たり抽選で大当たりが出たことを条件として、所定の大当たり遊技動作を実行し、この大当たり遊技動作の後、所定回数の大当たり抽選が実行されるまでの期間（を最長として）、その期間経過後に実行される通常モードよりも遊技者に有利な遊技内容の特別モードを実行する遊技機であって、大当たり抽選で大当たりが出た場合に、予め定める複数の大当たり図柄のうちのいずれか１つを表示し、大当たり抽選ではずれが出た場合には、上記複数の大当たり図柄以外のはずれ図柄を表示する図柄表示手段（５３）と、上記特別モードの実行期間を規定する実行期間規定回数を大当たり図柄別に記憶した実行期間規定回数記憶手段（７３１）と、上記図柄表示手段に表示された大当たり図柄に対応する実行期間規定回数を上記実行期間規定回数記憶手段から読み出し、その読み出した実行期間規定回数を上記所定回数に決定する回数決定手段（７２）と、遊技者によって操作可能な位置に設けられて、上記実行期間規定回数記憶手段に記憶されている実行期間規定回数を変更するために操作される操作手段（４５，４６）と、この操作手段の操作に基づいて、上記実行期間規定回数記憶手段の記憶内容を書き換える記憶内容書換手段（７７）とを含むことを特徴とする遊技機である。
【０００６】
なお、括弧内の英数字は、後述の実施形態における対応構成要素等を表す。以下、この項において同じ。
この発明によれば、たとえば、遊技者が操作手段を操作して、実行期間規定回数記憶手段の記憶内容を書き換えることにより、特別モードの実行期間を規定する実行期間規定回数を変更することができる。これにより、特別モードの実行期間を変更することができ、従来の遊技機よりも大きな興趣を遊技者に感じさせることができる。
【０００７】
請求項２記載の発明は、大当たり抽選で大当たりが出たことを条件として、所定の大当たり遊技動作を実行し、この大当たり遊技動作の後、所定回数の大当たり抽選が実行されるまでの期間（を最長として）、その期間経過後に実行される通常モードよりも遊技者に有利な遊技内容の特別モードを実行する遊技機であって、大当たり抽選で大当たりが出た場合に、予め定める複数の大当たり図柄のうちのいずれか１つを表示し、大当たり抽選ではずれが出た場合には、上記複数の大当たり図柄以外のはずれ図柄を表示する図柄表示手段（５３）と、互いに異なるパターンで、上記特別モードの実行期間を規定する実行期間規定回数を各大当たり図柄に対応づけて定めた複数のテーブル（７８１〜７８５）と、遊技者によって操作可能な位置に設けられて、上記複数のテーブルのいずれか１つを指定するための操作される操作手段（４５，４６）と、上記図柄表示手段に表示された大当たり図柄に対応する実行期間規定回数を上記操作手段によって指定されたテーブルから読み出し、その読み出した実行期間規定回数を上記所定回数に決定する回数決定手段（７２，７９）とを含むことを特徴とする遊技機である。
【０００８】
この発明によれば、遊技者が操作手段を操作して、複数のテーブルの中から特別モードで実行される大当たり抽選の回数（上記所定回数）を決定するために使用されるテーブル（使用テーブル）を任意に選択することができる。使用テーブルを変更することにより、その変更の前後で、同じ大当たり図柄が表示された場合でも、大当たり遊技動作後に突入する確変モードの実行期間を異ならせることができる。ゆえに、従来のパチンコ機よりも大きな興趣を遊技者に感じさせることができる。
【０００９】
請求項３記載の発明は、上記特別モードが実行されていないことを条件に、上記操作手段の操作を有効とする操作有効／無効手段（７６）をさらに含むことを特徴とする請求項１または２記載の遊技機である。
この発明によれば、特別モードの実行中に、テーブルが書き換えられたり、使用テーブルが変更されたりすることを防止できる。
なお、上記特別モードは、請求項４記載のように、上記通常モード時よりも大当たり抽選で大当たりがでる確率の高い確変モードであってもよいし、請求項５記載のように、上記図柄表示手段が、所定時間の図柄変動動作の後に、大当たり抽選の結果に応じた大当たり図柄またははずれ図柄を表示するものである場合には、上記通常モード時よりも上記図柄変動動作の時間が短い時短モードであってもよい。
【００１０】
また、上記大当たり抽選は、たとえば、乱数発生部から乱数を所定のタイミングで取得し、その取得した乱数の値と予め定める大当たり数値とを比較して、両数値が一致する場合に大当たりと決定し、両数値が一致しない場合にはずれと決定するといった抽選であってもよく、この場合に、乱数発生部から取得した乱数は、大当たり抽選以外の抽選（たとえば、大当たり抽選の結果を表す図柄を決定するための抽選、特別モードに突入するか否かを決定するための抽選など）に用いられてもよい。さらにまた、乱数発生部から取得した乱数と予め定める大当たり数値との比較は、たとえば、その乱数の取得直後に行われてもよいし、大当たり抽選の結果を報知するための動作（抽選結果表示動作）の開始直前に行われてもよい。
【００１１】
【発明の実施の形態】
以下では、この発明の実施の形態を、添付図面を参照して詳細に説明する。
図１は、この発明の一実施形態に係るパチンコ機の正面図である。このパチンコ機の正面には、そのほぼ上半分の領域に開口１が形成されており、開口１の下方には、遊技に使用する遊技球（パチンコ玉）を貯留しておくための上皿２と、上皿２に貯留しきれない遊技球を受けるための下皿３とが上下に並べて配置されている。この実施形態では、上皿２および下皿３が別々に構成されて配置されているが、上皿２および下皿３の機能を併せもった一体型の球受皿が開口１の下方に配置されていてもよい。また、正面側から見て下皿３の右側には、遊技に際して遊技者によって操作されるハンドル４が取り付けられている。
【００１２】
開口１には、たとえばガラス板などの透明板が嵌められており、この透明板の奥側には、遊技盤５が遊技領域Ａを透明板に対向させた状態で配置されている。上皿２に遊技球が貯留された状態でハンドル４が操作されると、機内に設けられた球発射装置（図示せず）が作動し、上皿２から機内に流入した遊技球が遊技盤５の遊技領域Ａに向けて打ち出されるようになっている。
遊技領域Ａは、遊技盤５にほぼ円弧状に配置されたガイドレール５１によって区画されている。ハンドル４の操作により発射された遊技球は、ガイドレール５１に案内されて遊技領域Ａの上部へ導かれる。遊技領域Ａには、たとえば、多数本の障害釘（図示せず）が打設されており、遊技領域Ａの上部に導かれた遊技球は、多数本の障害釘の間を通って下方へと落下していく。遊技領域Ａの最下部まで落下した遊技球は、その最下部に形成されたアウト球回収口６から機内に回収される。
【００１３】
遊技領域Ａには、中央より少し下方の位置に、始動口５２が配置されている。遊技球が遊技領域Ａ内を落下する過程で始動口５２に入ると、予め定める個数（たとえば、７個）の遊技球が賞球として付与されるとともに、遊技者に大当たり遊技を実行する機会を付与するか否かを決定するための大当たり抽選が行われる。大当たり抽選の結果は、始動口５２の上方に配置された可変表示器５３に３つの図柄（図柄要素）の組合せ（この実施形態では、３つの数字（１〜９，０）の組合せ）により表示される。たとえば、可変表示器５３は、液晶表示器で構成されており、可変表示器５３の表示画面には、３つの図柄表示位置が左右に並べて設定されている。そして、大当たり抽選の結果を表す図柄の組み合わせは、各図柄表示位置の表示図柄が高速変動した後、各図柄表示位置の表示図柄の変動が順次に停止されていくことにより表示されるようになっている。
【００１４】
大当たり抽選の結果が大当たりであれば、たとえば、可変表示器５３に３つの同一の図柄の組合せである大当たり図柄が停止表示され、その後、遊技者は大当たり遊技を実行することができる。大当たり遊技では、始動口５２の下方に配置された大入賞口５４が予め定める態様で開閉される。たとえば、大入賞口５４を約３０秒間または約１０個の遊技球が入球するまで開放するといった動作を１ラウンドとし、この１ラウンド中に大入賞口５４に入球した遊技球のうちの少なくとも１個が大入賞口５４内の特別領域（いわゆるＶゾーン）を通過していれば、次のラウンドを実行するといったようにして、大入賞口５４の開閉動作が所定の最大継続ラウンド数（たとえば、１６ラウンド）を上限として行われる。大入賞口５４への遊技球の入球に対しては、予め定める個数（たとえば、１３個）の賞球が遊技者に付与される。したがって、大当たり遊技では、大入賞口５４に多数個の遊技球を入球させることにより、遊技者は多くの賞球を獲得することができる。
【００１５】
また、このパチンコ機は、大当たり抽選で大当たりが出る確率（大当たり確率）が予め定める確率（たとえば、１／３００）に設定された通常モードと、この通常モードよりも大当たり確率が高確率（たとえば、１／６０）な確変モードとの２つの動作モードを有する確率変動型の機種であって、大当たり遊技の終了後は確変モードに突入し、大当たり抽選で大当たりが出やすくなる。確変モードは、大当たり遊技の終了後に所定のＳＴ回数の大当たり抽選が行われるまで続く。すなわち、このパチンコ機では、大当たり遊技の終了後は確変モードに突入し、この確変モードにおいて所定のＳＴ回数の大当たり抽選が行われると、確変モードが終了して、その後は大当たり確率が低確率な通常モードに移行する。
【００１６】
従来のパチンコ機において、ＳＴ回数は、可変表示器５３に表示される大当たり図柄には関係なく一定回数に設定されており、この設定を変更することはできない。これに対し、このパチンコ機では、大当たり図柄別にＳＴ回数を変更することができるようになっている。これにより、たとえば、或る大当たり図柄での大当たり（或る大当たり図柄による大当たりの報知）が多く発生する場合に、その大当たり図柄での大当たり後に実行される確変モードでのＳＴ回数を多くし、その分、他の大当たり図柄での大当たり後に実行される確変モードでのＳＴ回数を少なくするといった設定を行うことができ、従来のパチンコ機よりも大きな興趣を遊技者に感じさせることができる。
【００１７】
図２は、ハンドル４の構成を示す左側面図である。ハンドル４は、パチンコ機の正面から手前側に延びたハンドル軸４１と、このハンドル軸４１の先端に設けられたハンドル本体４２と、ハンドル本体４２に回動可能に設けられた操作片４３とを含む。操作片４３を正面から見て時計回りに回すことにより、機内に設けられた球発射装置から遊技盤５（図１参照）に向けて遊技球を発射させることができ、その操作片から手を放すことにより、球発射装置からの遊技球の発射を停止させることができる。
【００１８】
ハンドル本体４２には、たとえば、操作片４３の背後側であって、遊技者が右手の親指で操作しやすい位置に、発射停止ボタン４４、スライドボタン４５および決定ボタン４６の３つの操作ボタンが配設されている。
発射停止ボタン４４は、球発射装置からの遊技球の発射を停止させるためのボタンである。操作片４３を時計回りに回している状態であっても、この発射停止ボタン４４を押し続けている間は、球発射装置から遊技盤５に向けて遊技球が発射されることはない。スライドボタン４５および決定ボタン４６は、ＳＴ回数を変更する際に操作されるボタンであり、それぞれの機能については、後にＳＴ回数を変更するための手法を説明する際に併せて説明する。
【００１９】
なお、ＳＴ回数を変更するための処理が行われている間は、操作片４３が操作されても、その操作が無効とされて、球発射装置から遊技盤５に遊技球が発射されないようにすることが好ましい。
図３は、このパチンコ機の電気的構成を示すブロック図である。このパチンコ機には、たとえば、マイクロコンピュータを含む構成の制御部７が備えられている。制御部７には、スライドボタン４５、決定ボタン４６、および始動口５２（図１参照）への遊技球の入球を検出する始動口センサ８の出力信号が与えられるようになっている。また、制御部７には、可変表示器５３、および大入賞口５４を開閉するための大入賞口開閉機構９が制御対象として接続されている。
【００２０】
制御部７は、始動口センサ８からの出力信号の状態を監視する始動口監視部７１と、各種抽選に関する処理を行う抽選処理部７２と、ＳＴ回数テーブル７３１およびＳＴ回数カウンタ７３２のための記憶領域を有するＲＡＭ７３と、可変表示器５３の表示を制御する表示制御部７４と、大当たり遊技時に大入賞口開閉機構９の動作を制御する大当たり制御部７５と、スライドボタン４５および決定ボタン４６からの出力信号の状態を監視するボタン監視部７６と、遊技者によるＳＴ回数の変更に関する処理を行うＳＴ回数変更処理部７７とを備えている。抽選処理部７２、表示制御部７４、大当たり制御部７５、ボタン監視部７６およびＳＴ回数変更処理部７７は、たとえば、マイクロコンピュータが実行するプログラム処理によりソフトウエア的に実現される。
【００２１】
ＳＴ回数テーブル７３１は、大当たり遊技の終了後に実行される確変モードでのＳＴ回数を決定する際に参照されるテーブルであり、大当たり図柄別にＳＴ回数を記憶している。
ＳＴ回数カウンタ７３２は、確変モード中における大当たり抽選の実行回数をカウントするためのカウンタであり、この実施形態では、大当たり抽選が１回実行される度にカウント値を１だけ減算する、いわゆるダウンカウント方式のカウンタで構成されている。
【００２２】
図４は、ボタン監視部７６の機能について説明するためのフローチャートである。ボタン監視部７６は、可変表示器５３が抽選結果を表示するための動作（抽選結果表示動作）や大当たり遊技に関する情報を表示するための動作（大当たり表示動作）を行っている場合（ステップＳ１でＮＯ）、または、確変モードの実行中である場合（ステップＳ２でＹＥＳ）には、スライドボタン４５および決定ボタン４６からの出力信号の受付けを拒否する（ステップＳ３）。そして、可変表示器５３が抽選結果表示動作や大当たり表示動作を行っていない待機状態であり（ステップＳ１でＹＥＳ）、かつ、確変モードの実行中でない場合（ステップＳ２でＮＯ）にのみ、スライドボタン４５および決定ボタン４６からの出力信号の受付けを許可する（ステップＳ４）。
【００２３】
図５は、ＳＴ回数の変更手法およびＳＴ回数変更処理部７７の機能について説明するためのフローチャートである。また、図６ないし図１２は、ＳＴ回数の変更時に可変表示器５３に表示される画面の変化を示す図である。
ＳＴ回数変更処理部７７には、ボタン監視部７６によって受け付けられたスライドボタン４５および決定ボタン４６の出力信号が与えられるようになっており、ＳＴ回数変更処理部７７は、そのボタン監視部７６から与えられる信号に基づいて、ＳＴ回数テーブル７３１の内容を書き換えるための処理（ＳＴ回数を変更するための処理）を行う。
【００２４】
ＳＴ回数を変更する場合、遊技者は、可変表示器５３が待機状態であり、かつ、確変モードの実行中でない時（ボタン監視部７６によってスライドボタン４５および決定ボタン４６の出力信号の受付けが許可されている状態である時）に、スライドボタン４５を一定時間（たとえば、３秒間）以上押し続ける（スライドボタン４５を長押しする）。
スライドボタン４５が長押しされると（ステップＴ１でＹＥＳ）、図６に示すように、可変表示器５３の表示画面が、大当たり抽選結果を表す図柄の組合せを表示した通常画面からＳＴ回数を変更して設定するためのＳＴ回数設定画面に切り替わる（ステップＴ２）。
【００２５】
通常画面から切り替わった直後のＳＴ回数設定画面は、ＳＴ回数の変更を開始または終了するための変更開始／終了画面であり、この変更開始／終了画面では、その時点におけるＳＴ回数テーブル７３１の内容（大当たり図柄別のＳＴ回数）と、ＳＴ回数テーブル７３１の初期化を指示するための「初期化」およびＳＴ回数の変更・設定の終了を指示するための「終了する」の２つの選択キーとが表示される。また、このパチンコ機では、遊技者に一方的に有利（パチンコ機を設置したパチンコ店が一方的に不利）となるのを避けるため、ＳＴ回数テーブル７３１に大当たり図柄別で記憶されているＳＴ回数（以下「図柄別ＳＴ回数」という。）の合計数が１０００になるという条件の下で、各図柄別ＳＴ回数を０〜１０００の範囲内で自由に変更することができるようになっており、変更開始／終了画面では、その時点における図柄別ＳＴ回数の合計数を１０００から減算した残りの数（以下「残数」という。）が表示される。
【００２６】
いずれの大当たり図柄の図柄別ＳＴ回数も変更されていない状態、つまりＳＴ回数テーブル７３１の初期状態では、大当たり図柄「１１１」〜「９９９」，「０００」の図柄別ＳＴ回数は１００に設定されており、この状態における変更開始／終了画面では、たとえば、図６に示すように、大当たり図柄「１１１」〜「９９９」，「０００」をそれぞれ簡略化して表す各図柄「１」〜「９」，「０」に対応づけて図柄別ＳＴ回数「１００」が表示される。また、残数「０」が表示される。
【００２７】
変更開始／終了画面では、スライドボタン４５を押すことにより、図柄「１」〜「９」もしくは「０」、「初期化」キーまたは「終了する」キーをカーソルで個々に選択することができる。そして、選択後に決定ボタン４６を押すことにより、そのカーソルで選択した内容を決定することができる。ただし、変更開始／終了画面に表示されている残数が零でない場合には、たとえば、「終了する」キーは中抜き文字で表示され（図７（ｅ）または図８（ｆ）参照）、この「終了する」キーをカーソルで選択することはできない。
【００２８】
図柄別ＳＴ回数を変更する場合、遊技者は、その図柄別ＳＴ回数を変更したい大当たり図柄を簡略化して表す図柄「１」〜「９」または「０」をカーソルで選択した状態で決定ボタン４６を押す。
図柄「１」〜「９」または「０」のいずれかがカーソルで選択されて、決定ボタン４６が押されると（ステップＴ３でＮＯ、ステップＴ４でＹＥＳ）、可変表示器５３の表示画面が、変更開始／終了画面から図柄別ＳＴ回数を変更するための図柄別変更画面に切り替わる。すなわち、カーソルで選択された図柄以外の図柄およびこれらの図柄に対応づけて表示されている図柄別ＳＴ回数が消去されて、選択・決定された図柄およびこの図柄が表す大当たり図柄（以下「選択図柄」という。）の図柄別ＳＴ回数が拡大して表示される。また、「初期化」キーが消去されて、「加算」キーおよび「減算」キーが新たに追加表示される。
【００２９】
たとえば、図７（ａ）に示す変更開始／終了画面において図柄「２」がカーソルで選択されて、決定ボタン４６が押されると、可変表示器５３の表示画面が、図７（ｂ）に示すように、図柄「２」とこの図柄「２」が表す大当たり図柄（選択図柄）「２２２」の図柄別ＳＴ回数「１００」とが拡大表示されるとともに、その右側に、「加算」キー、「減算」キー、「終了する」キーおよび残数が上下に並べて表示された図柄別変更画面に切り替わる。
【００３０】
つづいて、遊技者は、「加算」キーまたは「減算」キーをカーソルで選択し、その状態で決定ボタン４６を押操作する。
「減算」キーがカーソルで選択された状態で決定ボタン４６が押された場合（ステップＴ５でＮＯ、ステップＴ６でＹＥＳ）、ＳＴ回数変更処理部７７は、選択図柄の図柄別ＳＴ回数を調べ（ステップＴ７）、図柄別ＳＴ回数が零でなければ、選択図柄と対応づけてＳＴ回数テーブル７３１に記憶されている図柄別ＳＴ回数を１だけ減算した数に書き換える（ステップＴ８）。また、これに応答して、図柄別変更画面に表示されている選択図柄の図柄別ＳＴ回数が１だけ小さい数に更新されるとともに、残数が１だけ大きい数に更新される。
【００３１】
つづいて、ＳＴ回数変更処理部７７は、決定ボタン４６が予め定める長押し時間（たとえば、２秒間）以上押し続けられているかどうかを調べる（ステップＴ８）。決定ボタン４６が押し続けられている間、ＳＴ回数変更処理部７７はステップＴ７〜Ｔ９の処理を繰り返して、一定の短時間（ステップＴ７〜Ｔ９の繰り返し周期）ごとに、選択図柄と対応づけてＳＴ回数テーブル７３１に記憶されている図柄別ＳＴ回数を１だけ減算した数に書き換えていく。すなわち、このパチンコ機では、「減算」キーをカーソルで選択した状態で決定ボタン４６を押し続ける（長押しする）ことにより、選択図柄の図柄別ＳＴ回数を高速で減少させることができるようになっている。
【００３２】
たとえば、図７（ｂ）に示す図柄別変更画面において「減算」キーがカーソルで選択され、この状態で決定ボタン４６が長押しされると、決定ボタン４６が押し続けられている間、図柄別変更画面に表示されている選択図柄「２２２」の図柄別ＳＴ回数が高速で減少していく。また、その図柄別ＳＴ回数の減少に応じて、図柄別変更画面に表示されている残数が高速で増加していく。たとえば、図柄別ＳＴ回数が５０に減少するまで決定ボタン４６が押し続けられた場合、可変表示器５３の表示画面は、図７（ｃ）に示すように、残数「５０」が表示された図柄別変更画面となる。
【００３３】
一方、「加算」キーがカーソルで選択された状態で決定ボタン４６が押された場合（ステップＴ５でＹＥＳ）、ＳＴ回数変更処理部７７は、その時の残数を調べ（ステップＴ１０）、残数が零でなければ、選択図柄と対応づけてＳＴ回数テーブル７３１に記憶されている図柄別ＳＴ回数を１だけ加算した数に書き換える（ステップＴ１１）。また、これに応答して、図柄別変更画面に表示されている選択図柄の図柄別ＳＴ回数が１だけ大きい数に更新されるとともに、残数が１だけ小さい数に更新される。
【００３４】
つづいて、ＳＴ回数変更処理部７７は、決定ボタン４６が長押しされているかどうかを調べる（ステップＴ１２）。決定ボタン４６が長押しされている間、ＳＴ回数変更処理部７７はステップＴ１０〜Ｔ１２の処理を繰り返して、一定の短時間（ステップＴ１０〜Ｔ１２の繰り返し周期）ごとに、選択図柄と対応づけてＳＴ回数テーブル７３１に記憶されている図柄別ＳＴ回数を１だけ加算した数に書き換えていく。すなわち、このパチンコ機では、「加算」キーをカーソルで選択した状態で決定ボタン４６を長押しすることにより、選択図柄の図柄別ＳＴ回数を高速で増加させることができるようになっている。
【００３５】
選択図柄の図柄別ＳＴ回数を所望の回数に変更した遊技者は、次に、スライドボタン４５を操作して、図柄別変更画面において「終了する」キーをカーソルで選択し、その状態で決定ボタン４６を押す。
すると、可変表示器５３の表示画面が、遊技者による変更後のＳＴ回数テーブル７３１の内容および残数を表示した変更開始／終了画面に切り替わる。
たとえば、図７（ｃ）に示す図柄別変更画面が可変表示器５３に表示されている状態から、スライドボタン４５が操作されることにより、図７（ｄ）に示すように、図柄別変更画面で「終了する」キーがカーソルで選択された後、決定ボタン４６が押されると、可変表示器５３の表示画面が、図７（ｅ）に示すように、図柄「２」に対応づけて図柄別ＳＴ回数「５０」が表示され、それ以外の図柄「１」，「３」〜「９」，「０」にそれぞれ対応づけて図柄別ＳＴ回数「１００」が表示されるとともに、残数「５０」が表示された変更開始／終了画面に切り替わる。
【００３６】
これで１つの大当たり図柄の図柄別ＳＴ回数を変更するための操作および処理は終了であり、その後、遊技者は、スライドボタン４５および決定ボタン４６を操作して、その他の大当たり図柄の図柄別ＳＴ回数を変更していく。
たとえば、大当たり図柄「３３３」の図柄別ＳＴ回数を１００から１５０に増加させる場合には、スライドボタン４５の押操作により、図８（ｆ）に示すように、変更開始／終了画面で図柄「３」をカーソルで選択した後、決定ボタン４６を押す。すると、可変表示器５３の表示画面が、図柄「３」と大当たり図柄「３３３」の図柄別ＳＴ回数「１００」とが拡大表示されるとともに、その右側に、「加算」キー、「減算」キー、「終了する」キーおよび残数が上下に並べて表示された図柄別変更画面に切り替わる。つづいて、スライドボタン４５を操作して、その図柄別変更画面で「加算」キーをカーソルで選択した状態で、図８（ｇ）に示すように、大当たり図柄「３３３」の図柄別ＳＴ回数が１５０になるまで、決定ボタン４６を押し続ける。これにより、ＳＴ回数テーブル７３１に記憶されている大当たり図柄「３３３」の図柄別ＳＴ回数が１５０に変更される。この後、スライドボタン４５を操作して、図８（ｈ）に示すように、図柄別変更画面において「終了する」キーをカーソルで選択し、その状態で決定ボタン４６を押す。すると、可変表示器５３の表示画面が、図８（ｉ）に示すように、図柄「２」に対応づけて図柄別ＳＴ回数「５０」が表示され、図柄「３」に対応づけて図柄別ＳＴ回数「１５０」が表示され、それ以外の図柄「１」，「３」〜「９」，「０」にそれぞれ対応づけて図柄別ＳＴ回数「１００」が表示されるとともに、残数「０」が表示された変更開始／終了画面に切り替わる。
【００３７】
こうして大当たり図柄の図柄別ＳＴ回数を次々に変更していき、たとえば、図８（ｊ）に示す変更開始／終了画面が得られたときに、このＳＴ回数の変更・設定を終了する場合、遊技者は、スライドボタン４５を操作して、図９（ｋ）に示すように、変更開始／終了画面で「終了する」キーをカーソルで選択した後、決定ボタン４６を押す。
「終了する」キーがカーソルで選択された状態で決定ボタン４６が押されると（ステップＴ１３でＹＥＳ）、可変表示器５３の表示画面が、変更開始／終了画面からＳＴ回数の変更・設定の終了を確認するための終了確認画面に切り替わる。この終了確認画面では、図９（ｌ）に示すように、「これでよろしいですか？」というメッセージとともに、カーソルで選択可能な「ＹＥＳ」および「ＮＯ」の文字が表示される。
【００３８】
終了確認画面において、「ＹＥＳ」がカーソルで選択された状態で決定ボタン４６が押されると、図１０（ｍ）に示すように、「ＹＥＳ」の文字が中抜き文字に変化し、それから一定時間が経過すると、図１０（ｎ）に示すように、可変表示器５３の表示画面が通常画面に戻る。これでＳＴ回数の変更および設定は完了であり、この後の遊技では、大当たり抽選で大当たりが出ると、変更後のＳＴ回数テーブル７３１に基づいて、その大当たり抽選の結果を表す大当たり図柄に応じたＳＴ回数が設定される。そして、大当たり遊技の終了後には、その設定されたＳＴ回数の大当たり抽選が実行されるまで、大当たり確率が高確率な確変モードが実行される。
【００３９】
一方、終了確認画面において、「ＮＯ」がカーソルで選択された状態で決定ボタン４６が押された場合には、図１１（ｏ）に示すように、「ＮＯ」の文字が中抜き文字に変化し、それから一定時間が経過すると、図１１（ｐ）に示すように、可変表示器５３の表示画面が、終了確認画面が表示される直前に表示されていた変更開始／終了画面に戻る。この場合、遊技者は、上述のような操作を再び行って、図柄別ＳＴ回数を設定し直すことができる。
【００４０】
なお、図柄別変更画面において「加算」キーまたは「減算」キーをカーソルで選択した状態で、決定ボタン４６を上記長押し時間未満の押下時間で押すといった操作を繰り返すことにより、図柄別ＳＴ回数を「１」ずつ加算または減算していくこともできる。この場合、ＳＴ回数変更処理部７７による処理としては、図５のステップＴ９またはＴ１２において決定ボタン４６が長押しされているか否かの判断が否定された後、さらに、ステップＴ１３でＳＴ回数の変更・設定を終了する旨の指示が入力されたか否かの判断が否定されて、ステップＴ３に戻り、このステップＴ３の判断が否定されてステップＴ４に進むことにより、ステップＴ３〜Ｔ１３が繰り返されることになる。
【００４１】
また、変更開始／終了画面で「初期化」キーをカーソルで選択し、この状態で決定ボタン４６を押すことにより、ＳＴ回数テーブル７３１を初期状態、つまり大当たり図柄「１１１」〜「９９９」，「０００」の図柄別ＳＴ回数がすべて１００に設定されている状態に一度に戻す（初期化する）ことができる（ステップＴ１４）。この場合、図１２に示すように、そのＳＴ回数テーブル７３１の初期化に応答して、可変表示器５３の表示画面が、図柄「１」〜「９」，「０」にそれぞれ対応づけて図柄別ＳＴ回数「１００」が表示されるとともに、残数「０」が表示された画面に切り替わる。
【００４２】
図１３は、抽選処理部７２の機能について説明するためのフローチャートである。始動口５２に遊技球が入り、始動口センサ８から検出信号が出力されると（ステップＥ１）、抽選処理部７２は、まず、確変モード中であるか通常モード中であるかを判断する（ステップＥ２）。
確変モード中であれば、予め定める高確率で大当たりを発生させる確変大当たり抽選を実行して（ステップＥ３）、確変モード中における大当たり抽選の実行回数をカウントするためのＳＴ回数カウンタ７３２のカウント値をデクリメント（−１）する（ステップＥ４）。一方、通常モード中であれば、予め定める低確率で大当たりを発生させる通常大当たり抽選を実行する（ステップＥ５）。
【００４３】
これらの大当たり抽選では、始動口５２への遊技球の入球タイミングで図示しない大当たり抽選用乱数発生部から発生される乱数値を取得して、この取得した乱数値と予め定められた通常モード用大当たり数値または確変モード用大当たり数値とを比較し、両数値が一致すれば大当たり、両数値が異なればはずれと決定する。なお、通常モードと確変モードとでの大当たり確率の違いは、たとえば、通常モード用大当たり数値の個数よりも確変モード用大当たり数値の個数を多くすることにより達成できる。
【００４４】
大当たり抽選後、抽選処理部７２は、その大当たり抽選の結果を表す図柄の組合せ（停止図柄）を決定する（ステップＥ６）。具体的には、大当たり抽選の結果が大当たりであれば、停止図柄を１０種類の大当たり図柄「１１１」〜「９９９」，「０００」のいずれかに決定し、大当たり抽選の結果がはずれであれば、停止図柄を上記大当たり図柄以外のはずれ図柄、つまり少なくとも１つの図柄が他の図柄とは異なるような図柄の組合せに決定する。
【００４５】
その後、表示制御部７４の働きにより、可変表示器５３における表示図柄の高速変動が開始される（ステップＥ７）。大当たり抽選の結果が大当たりであった場合には（ステップＥ８でＹＥＳ）、所定時間が経過すると、１０種類の大当たり図柄のいずれかに決定された停止図柄が可変表示器５３に停止表示される（ステップＥ９）。また、大当たり抽選の結果がはずれであった場合には（ステップＥ８でＮＯ）、所定時間の図柄変動の後に、はずれ図柄が可変表示器５３に停止表示される（ステップＥ１２）。
【００４６】
大当たり図柄が表示された場合には、その後、大当たり制御部７５の働きにより、大入賞口開閉機構９の動作が制御されて、遊技者による大当たり遊技が実行される（ステップＥ１０）。この大当たり遊技が終了すると、抽選処理部７２は、可変表示器５３に停止表示された大当たり図柄に応じた図柄別ＳＴ回数をＳＴ回数テーブル７３１から読み出し、その読み出した図柄別ＳＴ回数をＳＴ回数カウンタ７３２にセットする（ステップＥ１１）。
【００４７】
この後は、確変モードに突入し、ＳＴ回数カウンタ７３２のカウント値が零になるまで、始動口５２に遊技球が入る度に、上述のステップＥ１，Ｅ２，Ｅ３，Ｅ４，Ｅ６〜Ｅ１１の処理が実行される。そして、ＳＴ回数カウンタ７３２のカウント値が零になると（ステップＥ１３でＹＥＳ）、パチンコ機の動作モードが確変モードから通常モードに移行され（ステップＥ１４）、その後は、始動口５２に遊技球が入る度に、上述のステップＥ１，Ｅ２，Ｅ５，Ｅ６〜Ｅ１４の処理が実行される。
【００４８】
以上のように、この実施形態に係るパチンコ機では、大当たり図柄別に、各大当たり図柄での大当たり後に実行される確変モードでのＳＴ回数を変更することができ、これにより、確変モードの継続期間（実行期間）を変更することができるので、従来のパチンコ機よりも大きな興趣を遊技者に感じさせることができる。
図１４は、この発明の他の実施形態に係るパチンコ機の電気的構成を示すブロック図である。この実施形態に係るパチンコ機は、制御部７０に備えられたＲＯＭなどの不揮発性メモリ７８に、５つのＳＴ回数テーブル７８１，７８２，７８３，７８４，７８５が格納されていて、この５つのＳＴ回数テーブル７８１〜７８５の中から、確変モードでのＳＴ回数を決定するために参照されるべきテーブル（以下「使用テーブル」という。）を遊技者が任意に選択して設定できる構成になっている。
【００４９】
すなわち、このパチンコ機の制御部７０は、始動口センサ８からの出力信号の状態を監視する始動口監視部７１と、各種抽選に関する処理を行う抽選処理部７２と、ＳＴ回数カウンタ７３２のための記憶領域を有するＲＡＭ７３と、可変表示器５３の表示を制御する表示制御部７４と、大当たり遊技時に大入賞口開閉機構９の動作を制御する大当たり制御部７５と、スライドボタン４５および決定ボタン４６からの出力信号の状態を監視するボタン監視部７６と、５つのＳＴ回数テーブル７８１〜７８５を格納した不揮発性メモリ７８と、使用テーブルの設定に関する処理を行うテーブル設定処理部７９とを備えている。
【００５０】
テーブル設定処理部７９には、ボタン監視部７６によって受け付けられたスライドボタン４５および決定ボタン４６の出力信号が与えられるようになっており、テーブル設定処理部７９は、そのボタン監視部７６から与えられる信号に基づいて、５つのＳＴ回数テーブル７８１〜７８５の中から使用テーブルを設定するための処理を行う。
なお、図１４において、図３に示す各部に対応する部分には、図３の場合と同一の参照符号を付している。また、その同一の参照符号を付した部分については、上述した第１の実施形態の場合とそれぞれ同様な機能を有するので、それらの機能の説明を省略する。
【００５１】
図１５ないし図１９は、使用テーブルの設定時における可変表示器５３の表示画面の変化を示す図である。使用テーブルの設定に際して、遊技者は、可変表示器５３が待機状態であり、かつ、確変モードの実行中でない時に、スライドボタン４５を一定時間（たとえば、３秒間）以上押し続ける（スライドボタン４５を長押しする）。すると、可変表示器５３の表示画面が、図１５に示すように、大当たり抽選結果を表す図柄の組合せを表示した通常画面からテーブル選択画面に切り替わる。
【００５２】
テーブル選択画面では、カーソルで選択可能な選択項目「パターン１」，「パターン２」，「パターン３」，「パターン４」，「パターン５」、および「終了する」キーが表示される。カーソルは、スライドボタン４５を押すことによって移動させることができる。選択項目「パターン１」〜「パターン５」は、それぞれＳＴ回数テーブル７８１〜７８５に対応づけられており、選択項目「パターン１」〜「パターン５」のいずれかをカーソルで選択して、決定ボタン４６を押すと、可変表示器５３の表示画面が、その選択した項目に応じたＳＴ回数テーブルの内容を表示したテーブル内容表示画面に切り替わる。また、「終了する」キーは、ＳＴ回数テーブルの設定の終了を指示するために設けられており、この「終了する」キーをカーソルで選択して、決定ボタン４６を押すと、可変表示器５３の表示画面が、ＳＴ回数テーブルの設定の終了を確認するための終了確認画面に切り替わる。テーブル選択画面において、その時点で設定されているＳＴ回数テーブルに対応する選択項目「パターン１」〜「パターン５」は中抜き文字で表示される。
【００５３】
たとえば、図１６（ａ）に示すテーブル選択画面が可変表示器５３に表示されている状態から、スライドボタン４５が操作されることにより、図１６（ｂ）に示すように、選択項目「パターン２」がカーソルで選択された後、決定ボタン４６が押されると、可変表示器５３の表示画面が、図１６（ｃ）に示すように、ＳＴ回数テーブル７８２の内容を表示した画面に切り替わる。具体的には、大当たり図柄「１１１」，「３３３」，「５５５」，「７７７」，「９９９」をそれぞれ簡略化して表す各図柄「１」，「３」，「５」，「７」，「９」に対応づけて図柄別ＳＴ回数「１２０」が表示され、大当たり図柄「２２２」，「４４４」，「６６６」，「８８８」，「０００」をそれぞれ簡略化して表す各図柄「２」，「４」，「６」，「８」，「０」に対応づけて図柄別ＳＴ回数「８０」が表示される。また、テーブル内容表示画面には、「決定する」キーおよび「もどる」キーが表示される。
【００５４】
テーブル内容表示画面の表示内容を確認した遊技者は、その内容のＳＴ回数テーブル７８２の使用テーブルとしての設定を了解する場合には、「決定する」キーをカーソルで選択して、決定ボタン４６を押す。一方、ＳＴ回数テーブル７８２の使用テーブルとしての設定を拒否する場合には、「もどる」キーをカーソルで選択して、決定ボタン４６を押す。「もどる」キーがカーソルで選択された状態で決定ボタン４６が押されると、図１６（ｄ）に示すように、可変表示器５３の表示画面が元のテーブル選択画面（図１６（ａ）に示すテーブル選択画面）に戻る。
【００５５】
たとえば、テーブル選択画面で選択項目「パターン５」がカーソルで選択されて、決定ボタン４６が押され、これにより可変表示器５３に表示されたテーブル内容表示画面（ＳＴ回数テーブル７８５の内容を表示した画面）において、図１６（ｅ）に示すように「決定する」キーがカーソルで選択され、さらに決定ボタン４６が押されると、図１７（ｆ）に示すように、選択項目「パターン５」が中抜き文字で表示されたテーブル選択画面が可変表示器５３に表示される。そして、そのテーブル選択画面で「終了する」キーがカーソルで選択されて、決定ボタン４６が押されると、可変表示器５３の表示画面が、使用テーブルの選択・設定の終了を確認するための終了確認画面に切り替わる。この終了確認画面では、図１７（ｇ）に示すように、「これでよろしいですか？」というメッセージとともに、カーソルで選択可能な「ＹＥＳ」キーおよび「ＮＯ」キーが表示される。
【００５６】
終了確認画面において、「ＹＥＳ」キーがカーソルで選択された状態で決定ボタン４６が押されると、図１８（ｈ）に示すように、「ＹＥＳ」の文字が中抜き文字に変化し、それから一定時間が経過すると、図１８（ｉ）に示すように、可変表示器５３の表示画面が通常画面に戻る。これで使用テーブルの設定が完了であり、この後の遊技では、大当たり抽選で大当たりが出ると、その設定された使用テーブルに基づいて、その大当たり抽選の結果を表す大当たり図柄に応じたＳＴ回数が設定される。そして、大当たり遊技の終了後には、その設定されたＳＴ回数の大当たり抽選が実行されるまで、大当たり確率が高確率な確変モードが実行される。
【００５７】
一方、終了確認画面において、「ＮＯ」キーがカーソルで選択された状態で決定ボタン４６が押された場合には、図１９（ｊ）に示すように、「ＮＯ」の文字が中抜き文字に変化し、それから一定時間が経過すると、図１９（ｋ）に示すように、可変表示器５３の表示画面が、終了確認画面の表示直前に表示されていたテーブル選択画面に戻る。この場合、遊技者は、上述のような操作を再び行って、使用テーブルを選択し直すことができる。
【００５８】
以上のように、この第２の実施形態では、５つのＳＴ回数テーブル７８１，７８２，７８３，７８４，７８５が不揮発性メモリ７８に格納されていて、これら５つのＳＴ回数テーブル７８１〜７８５の中から、確変モードでのＳＴ回数を決定するために参照されるべきテーブル（使用テーブル）を遊技者が任意に選択できる構成になっている。ＳＴ回数を決定するために参照されるべきＳＴ回数テーブルを変更することにより、その変更の前後で、各大当たり図柄での大当たり後に実行される確変モードでのＳＴ回数を変更することができるから、この実施形態に係るパチンコ機においても、上述の第１の実施形態に係るパチンコ機と同様に、従来のパチンコ機よりも大きな興趣を遊技者に感じさせることができる。
【００５９】
なお、複数のＳＴ回数テーブルが不揮発性メモリ７８に格納されて、その複数のＳＴ回数テーブルの中から１つを任意に選択して使用テーブルとして設定することができれば、不揮発性メモリ７８にしておくＳＴ回数テーブルの個数に特に限定はなく、２〜４個のＳＴ回数テーブルを不揮発性メモリ７８に格納しておいてもよいし、６個以上のＳＴ回数テーブルを不揮発性メモリ７８に格納しておいてもよい。
【００６０】
以上、この発明の２つの実施形態について説明したが、この発明は、さらに他の形態で実施することもできる。たとえば、上記の各実施形態では、確率変動型のパチンコ機を例に挙げたが、この発明は、いわゆる時短モードを有するパチンコ機に適用することも可能である。すなわち、大当たり抽選の結果が大当たりであって、可変表示器５３に時短図柄が表示される時短大当たりの場合に、大当たり遊技の終了後、大当たり抽選の結果を表す図柄の組合せが表示されるまでに行われる各図柄表示位置での表示図柄の変動時間が短時間（たとえば、４〜６秒間）に設定された時短モードに突入するパチンコ機において、時短モードでのＳＴ回数（大当たり抽選の実行回数の上限）を可能とするために、この発明が適用されてもよい。
【００６１】
また、上記の各実施形態では、ＳＴ回数設定画面またはテーブル選択画面などが可変表示器５３に表示されるとしたが、これらの画面を表示するための専用の表示器が遊技者によって視認容易な位置に設けられてもよい。
さらに、ＳＴ回数が大当たり図柄別にテーブルの形式でＲＡＭ７３に記憶されているとしたが、大当たり図柄別に分けて記憶されていれば、テーブルの形式で記憶されている必要はない。
【００６２】
さらにまた、ＳＴ回数を変更するための処理（図柄別ＳＴ回数の設定のための処理、または使用テーブルの変更のための処理）が行われている間は、操作片４３が操作されても、その操作が無効とされて、球発射装置から遊技盤５に遊技球が発射されないようにすることが好ましいとしたが、たとえば、操作片４３の操作は無効とされず、ＳＴ回数を変更するための処理が行われている最中に操作片４３が操作された場合には、ＳＴ回数を変更するための処理が直ちに終了されて、その処理開始直前の設定内容（処理開始直前のＳＴ回数テーブル７３１の設定内容、または処理開始直前の使用テーブル）に戻されるようにしてもよいし、予め定める初期内容（図柄別ＳＴ回数がすべて１００に設定されている状態または予め定めるテーブルを使用テーブルに設定した状態）に変更されるようにしてもよい。
【００６３】
その他、特許請求の範囲に記載された事項の範囲で種々の設計変更を施すことが可能である。
【図面の簡単な説明】
【図１】この発明の一実施形態に係るパチンコ機の正面図である。
【図２】ハンドル付近の構成を示す左側面図である。
【図３】上記パチンコ機の電気的構成を示すブロック図である。
【図４】図３に示すボタン監視部の機能について説明するためのフローチャートである。
【図５】ＳＴ回数の変更手法および図３に示すＳＴ回数変更処理部の機能について説明するためのフローチャートである。
【図６】ＳＴ回数の変更時に図１に示す可変表示器に表示される画面の変化（通常画面→変更開始／終了画面）を示す図である。
【図７】ＳＴ回数の変更時に上記可変表示器に表示される画面の変化（変更開始／終了画面→図柄別変更画面→変更開始／終了画面）を示す図である。
【図８】確変図柄の設定時に可変表示器に表示される画面の変化（変更開始／終了画面→図柄別変更画面→変更開始／終了画面）を示す図である。
【図９】確変図柄の設定時に可変表示器に表示される画面の変化（変更開始／終了画面→終了確認画面）を示す図である。
【図１０】確変図柄の設定時に可変表示器に表示される画面の変化（終了確認画面→通常画面）を示す図である。
【図１１】確変図柄の設定時に可変表示器に表示される画面の変化（終了確認画面→変更開始／終了画面）を示す図である。
【図１２】確変図柄の設定時に可変表示器に表示される画面の変化（テーブル初期化時の画面変化）を示す図である。
【図１３】図３に示す抽選処理部の機能について説明するためのフローチャートである。
【図１４】この発明の他の実施形態に係るパチンコ機の電気的構成を示すブロック図である。
【図１５】使用テーブルの設定時における図１４（図１）に示す可変表示器の表示画面の変化（通常画面→テーブル選択画面）を示す図である。
【図１６】使用テーブルの設定時における上記可変表示器の表示画面の変化（テーブル選択画面→テーブル内容表示画面→テーブル選択画面→テーブル内容表示画面→テーブル選択画面）を示す図である。
【図１７】使用テーブルの設定時における上記可変表示器の表示画面の変化（テーブル選択画面→終了確認画面）を示す図である。
【図１８】使用テーブルの設定時における上記可変表示器の表示画面の変化（終了確認画面→通常画面）を示す図である。
【図１９】使用テーブルの設定時における上記可変表示器の表示画面の変化（終了確認画面→テーブル選択画面）を示す図である。
【符号の説明】
４５　　スライドボタン
４６　　決定ボタン
５３　　可変表示器
７　　　制御部
７０　　制御部
７１　　始動口監視部
７２　　抽選処理部
７３　　ＲＡＭ
７４　　表示制御部
７５　　大当たり制御部
７６　　ボタン監視部
７７　　ＳＴ回数変更処理部
７８　　不揮発性メモリ
７９　　テーブル設定処理部
７３１　ＳＴ回数テーブル
７３２　ＳＴ回数カウンタ
７８１，７８２，７８３，７８４，７８５　ＳＴ回数テーブル
【図１】
2004008259.tif 000003
【図２】
2004008259.tif 000004
【図３】
2004008259.tif 000005
【図４】
2004008259.tif 000006
【図５】
2004008259.tif 000007
【図６】
2004008259.tif 000008
【図７】
2004008259.tif 000009
【図８】
2004008259.tif 000010
【図９】
2004008259.tif 000011
【図１０】
2004008259.tif 000012
【図１１】
2004008259.tif 000013
【図１２】
2004008259.tif 000014
【図１３】
2004008259.tif 000015
【図１４】
2004008259.tif 000016
【図１５】
2004008259.tif 000017
【図１６】
2004008259.tif 000018
【図１７】
2004008259.tif 000019
【図１８】
2004008259.tif 000020
【図１９】
2004008259.tif 000021